(57)【要約】【課題】発光管の適切な温度調整を可能とする光源装置、およびその光源装置を提供すること。【解決手段】本発明の光源装置２は、光を射出する発光部１５と、発光部の一方側に一体に設けられた第１封止部１６と、発光部の他方側に一体に設けられた第２封止部１７と、を備える発光管１１と、発光部の周囲のうちの一部を覆い、発光部から射出した光を反射させる副反射鏡１３と、発光部から射出した光と、副反射鏡で反射した光とを反射させる主反射鏡１２と、内部に空気を通過させて副反射鏡と発光部との間の空気を流動させるためのノズル１４と、を有し、ノズルは、一方の先端１４ａが発光部の近傍に位置するように配置される。【選択図】図２
2010251172.tif 000002
【特許請求の範囲】
【請求項１】
光を射出する発光部と、前記発光部の一方側に一体に設けられた第１封止部と、前記発光部の他方側に一体に設けられた第２封止部と、を備える発光管と、
前記発光部の周囲のうちの一部を覆い、前記発光部から射出した光を反射させる副反射鏡と、
前記発光部から射出した光と、前記副反射鏡で反射した光とを反射させる主反射鏡と、
内部に空気を通過させて前記副反射鏡と前記発光部との間の空気を流動させるためのノズルと、を有し、
前記ノズルは、一方の先端が前記発光部の近傍に位置するように配置されることを特徴とする光源装置。
【請求項２】
前記ノズルは、前記第２封止部に沿って配置されることを特徴とする請求項１に記載の光源装置。
【請求項３】
前記副反射鏡に一体に形成されて前記第２封止部の一部を覆う延伸部をさらに有し、
前記ノズルは、前記延伸部と前記第２封止部との間に配置されることを特徴とする請求項２に記載の光源装置。
【請求項４】
前記ノズルの一方の先端側は、前記発光管の中心軸に略平行とされていることを特徴とする請求項１〜３のいずれか１つに記載の光源装置。
【請求項５】
少なくとも前記第２封止部と、前記主反射鏡と、前記ノズルとを一体に固着させる固着部をさらに有することを特徴とする請求項１〜４のいずれか１つに記載の光源装置。
【請求項６】
前記ノズルは、前記延伸部に固着されることを特徴とする請求項１〜４のいずれか１つに記載の光源装置。
【請求項７】
前記光源装置は、プロジェクターに着脱可能とされ、
前記ノズルの他方の先端側は、前記プロジェクターに対する前記光源装置の着脱方向と略平行とされていることを特徴とする請求項１〜６のいずれか１つに記載の光源装置。
【請求項８】
請求項１〜７のいずれか１つに記載の光源装置と、
前記光源装置から射出した光を画像信号に応じて変調する空間光変調装置と、
前記ノズルへ空気を送り込む送風部と、を有することを特徴とするプロジェクター。
【請求項９】
重力方向に対する前記発光管の向きを検出する姿勢検出部と、
前記姿勢検出部による検出結果に応じて前記ノズルに送り込む空気量を調整する空気量調整部と、を有することを特徴とする請求項８に記載のプロジェクター。
【発明の詳細な説明】
【技術分野】
【０００１】
本発明は、光源装置およびプロジェクター、特にリフレクターを有する光源装置の技術に関する。
【背景技術】
【０００２】
プロジェクターの光源として使用されるランプ、例えば超高圧水銀ランプ等の放電ランプには、発光管から射出した光を反射させるリフレクター（反射鏡）が用いられている。プロジェクターにより効率良く明るい画像を得るために、従来、発光管から射出した光の利用効率を高めるための光源装置の構成が提案されている。例えば、主反射鏡としてのリフレクターとは別に、発光管の一部を覆う副反射鏡を設ける技術が提案されている（例えば、特許文献１参照）。副反射鏡で反射した光は、発光管を通過した後、主反射鏡に入射して前側へ向けて反射する。これにより、光源装置からの光を利用する光学系へ、発光管から射出した光を効率良く進行させつつ光源装置の薄型化も図ることが可能となる。
【先行技術文献】
【特許文献】
【０００３】
【特許文献１】特許第３３５０００３号公報
【発明の概要】
【発明が解決しようとする課題】
【０００４】
プロジェクターに用いられるランプは、供給された電気エネルギーの多くが熱となり高温となることから、冷却風などによる冷却が必要となる。副反射鏡を備える構成の場合、発光部表面のうち副反射鏡により覆われる部分について、冷却が困難となる。この場合、発光部表面のうち副反射鏡により覆われる部分と、それ以外の部分とで異なる放熱性を示すこととなるため、発光管の適切な温度調整が困難になるという問題を生じる。発光管のうち冷却が不十分な部分は、発光管を構成する透明部材が熱により結晶化し、白濁する場合が生じ得る。本発明は、上述の問題に鑑みてなされたものであり、発光管の適切な温度調整を可能とする光源装置、およびその光源装置を有するプロジェクターを提供することを目的とする。
【課題を解決するための手段】
【０００５】
上述した課題を解決し、目的を達成するために、本発明の光源装置は、光を射出する発光部と、発光部の一方側に一体に設けられた第１封止部と、発光部の他方側に一体に設けられた第２封止部と、を備える発光管と、発光部の周囲のうちの一部を覆い、発光部から射出した光を反射させる副反射鏡と、発光部から射出した光と、副反射鏡で反射した光とを反射させる主反射鏡と、内部に空気を通過させて副反射鏡と発光部との間の空気を流動させるためのノズルと、を有し、ノズルは、一方の先端が発光部の近傍に位置するように配置される。
【０００６】
ノズルの一方の先端が発光部の近傍に位置しているので、その先端から空気を吹き出すか、または吸い込むことで、副反射鏡と発光部との間の空気を流動させることができる。これにより、発光管のうち副反射鏡に覆われた部分の効果的な冷却が可能となり、発光管の適切な温度調整が可能となる。
【０００７】
また、本発明の好ましい態様としては、ノズルは、第２封止部に沿って配置されることが望ましい。ノズルが第２封止部に沿って配置されるので、被照射面に向かう光がノズルに遮られにくくなり、光の利用効率の低下を抑えることができる。
【０００８】
また、本発明の好ましい態様としては、副反射鏡に一体に形成されて第２封止部の一部を覆う延伸部をさらに有し、ノズルは、延伸部と第２封止部との間に配置されることが望ましい。副反射鏡に延伸部が形成されている場合であっても、第２封止部と延伸部との間にノズルを配置することで、延伸部に邪魔されずに副反射鏡と発光部との間の空気を流動させることができ、発光管の適切な温度調整が可能となる。
【０００９】
また、本発明の好ましい態様としては、ノズルの一方の先端側は、発光管の中心軸に略平行とされていることが望ましい。ノズルの一方の先端側が発光管の中心軸に略平行とされるので、ノズルから吹き出される空気の向きも中心軸と平行となる。これにより、発光部に吹き付けられた空気が、副反射鏡と発光部との間の空間に満遍なく広がりやすくなり、副反射鏡と発光部との間で空気の流動する場所に偏りが生じるのを抑えて、発光管の一部で冷却不良が発生するのを抑えることができる。
【００１０】
また、本発明の好ましい態様としては、少なくとも第２封止部と、主反射鏡と、ノズルとを一体に固着させる固着部をさらに有することが望ましい。固着部を有することで、第２封止部と、主反射鏡と、ノズルとを１回の工程で固着させることができるので、製造コストの抑制を図ることができる。
【００１１】
また、本発明の好ましい態様としては、ノズルは、延伸部に固着されることが望ましい。延伸部にノズルを固着することで、副反射鏡とノズルとを予めユニット化することができ、光源装置の組み立てを簡単化することができる。また、副反射鏡とノズルとを予めユニット化することで、副反射鏡に対してノズルを所望の位置に配置しやすくなる。より効率的な冷却が期待できる位置、例えば、副反射鏡と延伸部の境界位置にノズルの一方の先端を位置させることで、冷却効率の向上を図ることができる。
【００１２】
また、本発明の好ましい態様としては、光源装置は、プロジェクターに着脱可能とされ、ノズルの他方の先端側は、プロジェクターに対する光源装置の着脱方向と略平行とされていることが望ましい。ノズルの他方の先端側が、プロジェクターに対する光源装置の着脱方向と略平行とされているので、光源装置をプロジェクターに取り付けるだけで、ノズルの他方の先端がプロジェクター側の送風管に接続されて送風可能となるような構成が可能となる。
【００１３】
また、本発明のプロジェクターは、上記光源装置と、光源装置から射出した光を画像信号に応じて変調する空間光変調装置と、ノズルへ空気を送り込む送風部を有する。上記の光源装置を用いることで、発光管の適切な温度調整により、発光管の劣化を低減できる。これにより、高い信頼性のプロジェクターを得られる。
【００１４】
また、本発明の好ましい態様としては、重力方向に対する発光管の向きを検出する姿勢検出部と、姿勢検出部による検出結果に応じてノズルに送り込む空気量を調整する空気量調整部と、を有することが望ましい。発光管により熱せられた空気は、重力方向下側に対して上側において多くなる。姿勢検出部による検出結果に応じて冷却風の風量を調整することにより、発光管の向きに関わらず、発光管の適切な温度調整が可能となる。
【図面の簡単な説明】
【００１５】
【図１】本発明の実施例１に係るプロジェクターの概略構成を示す図。
【図２】光源装置の概略構成を示す外観斜視図。
【図３】光源装置を後側から見た斜視図。
【図４】光源装置をＸ−Ｙ平面で切断した断面図。
【図５】光源装置から副反射鏡を除いた状態を示す斜視図。
【図６】本実施例１の変形例１に係るプロジェクターが備える光源装置の断面図。
【図７】本発明の実施例２に係る光源装置が備える副反射鏡の外観斜視図。
【図８】本発明の実施例２に係る光源装置のＸ−Ｙ平面で切断した断面図。
【発明を実施するための形態】
【００１６】
以下に図面を参照して、本発明の実施例を詳細に説明する。
【実施例１】
【００１７】
図１は、本発明の実施例１に係るプロジェクター１の概略構成を示す。プロジェクター１は、不図示のスクリーンへ光を投写し、スクリーンで反射する光を観察することで画像を鑑賞するフロント投写型のプロジェクターである。プロジェクター１は、光源装置２、送風管５、エアポンプ（送風部）６、姿勢検出部７、光学エンジン８を有して大略構成される。なお、本願の実施例の説明において、Ｘ軸は、発光管１１の中心軸ＡＸに直交する軸である。Ｙ軸は、中心軸ＡＸおよびＸ軸に直交する軸である。Ｚ軸は、中心軸ＡＸに平行な軸である。Ｚ軸の矢印の方向は、光源装置２から不図示の被照射面へ向かう方向を表す。各軸の矢印方向を正の方向とし、その逆方向を負の方向とする。光源装置２に対してＺ軸に沿った正の方向側（被照射面のある側）を前側といい、負の方向側を後側という。また、発光部１５に対してＹ軸に沿った正の方向側を上側といい、負の方向側を下側という。
【００１８】
図２は、本発明の実施例１に係る光源装置２の概略構成を示す外観斜視図である。光源装置２は、発光管１１、主反射鏡１２、副反射鏡１３を有して構成される。光源装置２は、赤色（Ｒ）光、緑色（Ｇ）光、青色（Ｂ）光を含む光を射出する。光源装置２は、プロジェクター１の取付部１ａに着脱可能に取り付けられる。なお、その着脱方向は、Ｙ軸方向に平行、すなわち上下方向となっている。
【００１９】
発光管１１は、例えば、超高圧水銀ランプである。発光管１１は、略球状の形状を呈する発光部１５を備える。発光部１５の内部において、電極３，４（図４参照）間にアークが形成されることで、発光部１５から光が射出される。発光部１５には、第１封止部１６および第２封止部１７が一体に設けられている。第１封止部１６は、円筒形状を呈しており、発光部１５の一方側（前側）に設けられている。第２封止部１７は、円筒形状を呈しており、発光部１５の他方側（後側）に設けている。上記構成により、発光管１１は、第１封止部１６と第２封止部１７とで発光部１５を挟んだ形状となっている。
【００２０】
主反射鏡１２は、発光部１５から射出した光を反射させ、前側へ進行させる。主反射鏡１２は、中心軸ＡＸを中心として楕円を回転させることにより得られる回転楕円面を、所定の平面で切断することにより得られる曲面と略同じ形状をなしている。本実施例では、所定の平面とは、発光管ＡＸの中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００２１】
主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、回転楕円面が切断されていない反射鏡を用いた光源装置よりも、薄型な光源装置２とすることができる。なお、主反射鏡１２は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしてもよい。
【００２２】
副反射鏡１３は、発光部１５から射出した光を発光部１５へ向けて反射させる。副反射鏡１３は、発光部１５の周囲の一部を下側から覆う。副反射鏡１３と発光部１５との間には、隙間が設けられている。副反射鏡１３は、所望の形状に成形された基材の表面に高反射性部材、例えば誘電体多層膜や金属部材を蒸着させることにより構成されている。高反射性部材は、可視領域の波長の光について高い反射率である部材を用いる。主反射鏡１２と副反射鏡１３とを設けることにより、発光部１５から射出した光を光学エンジン８へ効率良く進行させることが可能となる。
【００２３】
図３は、光源装置２を後側から見た斜視図である。図４は、光源装置２とエアポンプとの関係を示す図であって、光源装置２をＸ−Ｙ平面で切断した断面図で表した図である。副反射鏡１３の後側には、第２封止部１７の一部を覆う延伸部２３が一体に形成されている。延伸部２３が、後述する固着部２７に対して接着されることで、光源装置２における副反射鏡１３の位置決め・固定がなされる。
【００２４】
第２封止部１７と延伸部２３との間には、第２封止部１７に沿ってノズル１４が配置されている。ノズル１４は、内部に空気が通過可能な筒状の形状を呈している。ノズル１４は、一方の先端が、空気を吹き出す吹出口１４ａとなっている。ノズル１４は、発光部１５の近傍に吹出口１４ａが位置するように配置されている。また、ノズル１４のうち吹出口１４ａ側は、中心軸ＡＸと平行とされている。ノズル４には、後述するエアポンプ６から空気が送り込まれ、吹出口１４ａから空気が吹き出される。なお、本実施例１では、第２封止部１７と延伸部２３との間に位置する領域で、ノズル１４は中心軸ＡＸと平行とされる。
【００２５】
ここで、ノズル１４が第２封止部１７に沿って配置されるので、被照射面に向かう光がノズル１４に遮られにくくなり、光の利用効率の低下を抑えることができる。また、副反射鏡１３に延伸部２３が形成されているが、第２封止部１７と延伸部２３との間にノズル１４を配置することで、延伸部２３に邪魔されずに副反射鏡１３と発光部１５との間の空気を流動させることができる。
【００２６】
また、吹出口１４ａが発光部１５の近傍に位置しているので、その吹出口１４ａから空気を吹き出すことで、副反射鏡１３と発光部１５との間の空気を流動させることができる。これにより、発光管１１のうち副反射鏡１３に覆われた部分の効果的な冷却が可能となり、発光管１１の適切な温度調整が可能となる。また、ノズル１４が、中心軸ＡＸと平行とされることで、ノズル１４から吹き出される空気の向きも中心軸ＡＸと平行となる。これにより、発光部１５に吹き付けられた空気が、副反射鏡１３と発光部１５との間の空間に満遍なく広がりやすくなり、空気の流動する場所に偏りが生じるのを抑えて、発光管１１の一部で冷却不良が発生するのを抑えることができる。
【００２７】
ノズル１４は、他方の先端が、吹出口１４ａに空気を送り込むための接続口１４ｂとなっている。ノズル１４は、送風管５と接続口１４ｂで接続可能となっている。ノズル１４は、延伸部２３の後側で折り曲げられて、接続口１４ｂ側がＹ軸方向と平行とされる。
【００２８】
図５は、光源装置２から副反射鏡１３を除いた状態を示す斜視図である。主反射鏡１２と発光管１１とノズル１４とは、固着部２７によって予め一体に固着される。固着部２７は、例えば、セメントを固化させて構成されている。固着部２７を設けることにより、主反射鏡１２と発光管１１とノズル１４を１回の工程で固着させることができるので、製造コストの抑制を図ることができる。固着部２７によって予め主反射鏡１２等が一体に固着された状態で、固着部２７に対して下側から副反射鏡１３の延伸部２３を接着することで、光源装置２が構成される。
【００２９】
図１、図４に戻って送風管５、エアポンプ６、姿勢検出部７について説明する。送風管５は、プロジェクター１内に配設され、内部に空気を通過可能とされている。送風管５は、エアポンプ６に接続されており、エアポンプ６によって送り込まれた空気を案内する。送風管５は、光源装置２が取付部１ａに取り付けられた状態において、ノズル１４の接続口１４ｂと接続される。具体的には、送風管５の内側にノズル１４の接続口１４ｂが嵌まり込む。送風管５の先端側は送風管１４の先端側はＹ軸方向と平行とされており、ノズル１４の接続方向は、光源装置２の着脱方向と同じ上下方向となっている。送風管５は、光源装置２を取付部１ａに取り付けた際に、接続口１４ｂがはまり込む位置に配置されている。これにより、光源装置２を取付部１ａに取り付けるだけで、ノズル１４と送風管５とが接続されるので、光源装置２の交換作業を簡単にすることができ、メンテナンス性を向上させることができる。また、ノズル４の接続方向と、光源装置２の着脱方向が同じ方向となるため、光源装置２の取付時にノズル１４が邪魔になりにくい。光源装置２の取付時にノズル１４が折れてしまう等の問題を生じにくくすることができる。なお、送風管５の内側にゴム等からなる弾性体を備えて、ノズル１４と送風管５の隙間からの空気漏れを防いでもよい。
【００３０】
エアポンプ６は、送風管５に接続されて、送風管５の内部に空気を送り込む。送風管５に送り込まれた空気は、ノズル１４を介して吹出口１４ａから吹き出される。吹出口１４ａから吹き出された空気は、発光部１５に吹き付けられるとともに、発光部１５と副反射鏡１３との間を通過して空気を流動させる。これにより、発光管１１のうち副反射鏡１３に覆われている部分であっても、十分に冷却させることができる。
【００３１】
姿勢検出部７は、重力方向に対する発光管１１の向きを検出する。風量調整部９は、姿勢検出部７による検出結果に応じて、エアポンプ１から送り込む空気量を調整する。例えば、発光部１５のうち副反射鏡１３に覆われた側が重力方向下側であることが、姿勢検出部７により検出されている場合を第一の姿勢とする。また、発光部１５のうち副反射鏡１３に覆われた側が重力方向上側であることが、姿勢検出部７により検出されている場合を第二の姿勢とする。
【００３２】
ここで、姿勢検出部７により第二の姿勢であることが検出されたとする。この場合、発光部１５のうち副反射鏡１３で覆われた側では、熱せられた空気が第一の姿勢であるときよりもこもりやすくなる。したがって、風量調整部９は、エアポンプ６から送り込む空気量を第一の姿勢であるときより多くする調整を行う。また、姿勢検出部７により第一の姿勢であることが検出されたとする。この場合、風量調整部９は、エアポンプ６から送り込む空気量を第二の姿勢であるときより多くする調整を行う。
【００３３】
このように、姿勢検出部７による検出結果に応じて冷却風の風量を調整することにより、発光管１１の向きに関わらず、発光管１１の適切な温度調整が可能となるという効果を奏する。本実施の形態に係る光源装置２は、特に、机や台などに設置される正立状態と、天井に設置される倒立状態とのいずれの姿勢も採り得るプロジェクターに設置される場合に適している。
【００３４】
次に、光学エンジン８について説明する。凹レンズ３１は、光源装置２から射出した光を平行化させる。第１インテグレーターレンズ３２および第２インテグレーターレンズ３３は、アレイ状に配列された複数のレンズ素子を有する。第１インテグレーターレンズ３２は、凹レンズ３１からの光束を複数に分割する。第１インテグレーターレンズ３２の各レンズ素子は、凹レンズ３１からの光束を第２インテグレーターレンズ３３のレンズ素子近傍にて集光させる。第２インテグレーターレンズ３３のレンズ素子は、第１インテグレーターレンズ３２のレンズ素子の像を空間光変調装置上に形成する。
【００３５】
２つのインテグレーターレンズ３２、３３を経た光は、偏光変換素子３４にて特定の振動方向の直線偏光に変換される。重畳レンズ３５は、第１インテグレーターレンズ３２の各レンズ素子の像を空間光変調装置上で重畳させる。第１インテグレーターレンズ３２、第２インテグレーターレンズ３３および重畳レンズ３５は、光源装置２からの光の強度分布を空間光変調装置上にて均一化させる。重畳レンズ３５からの光は、第１ダイクロイックミラー３６に入射する。第１ダイクロイックミラー３６は、Ｒ光を反射し、Ｇ光およびＢ光を透過させる。第１ダイクロイックミラー３６へ入射したＲ光は、第１ダイクロイックミラー３６、反射ミラー３７でそれぞれ光路が折り曲げられ、Ｒ光用フィールドレンズ３８Ｒへ入射する。Ｒ光用フィールドレンズ３８Ｒは、反射ミラー３７からのＲ光を平行化し、Ｒ光用空間光変調装置３９Ｒへ入射させる。
【００３６】
Ｒ光用空間光変調装置３９Ｒは、Ｒ光を画像信号に応じて変調する空間光変調装置であって、透過型液晶表示装置である。Ｒ光用空間光変調装置３９Ｒに設けられた不図示の液晶パネルは、２つの透明基板の間に、光を画像信号に応じて変調するための液晶層を封入している。Ｒ光用空間光変調装置３９Ｒで変調されたＲ光は、色合成光学系であるクロスダイクロイックプリズム４０へ入射する。
【００３７】
第１ダイクロイックミラー３６を透過したＧ光およびＢ光は、第２ダイクロイックミラー４１へ入射する。第２ダイクロイックミラー４１は、Ｇ光を反射し、Ｂ光を透過させる。第２ダイクロイックミラー４１へ入射したＧ光は、第２ダイクロイックミラー４１で光路が折り曲げられ、Ｇ光用フィールドレンズ３８Ｇへ入射する。Ｇ光用フィールドレンズ３８Ｇは、第２ダイクロイックミラー４１からのＧ光を平行化し、Ｇ光用空間光変調装置３９Ｇへ入射させる。Ｇ光用空間光変調装置３９Ｇは、Ｇ光を画像信号に応じて変調する空間光変調装置であって、透過型液晶表示装置である。Ｇ光用空間光変調装置３９Ｇで変調されたＧ光は、クロスダイクロイックプリズム４０のうちＲ光が入射する面とは異なる面へ入射する。
【００３８】
第２ダイクロイックミラー４１を透過したＢ光は、リレーレンズ４２を透過した後、反射ミラー４３での反射により光路が折り曲げられる。反射ミラー４３からのＢ光は、さらにリレーレンズ４４を透過した後、反射ミラー４５での反射により光路が折り曲げられ、Ｂ光用フィールドレンズ３８Ｂへ入射する。Ｒ光の光路およびＧ光の光路よりもＢ光の光路が長いことから、空間光変調装置における照明倍率を他の色光と等しくするために、Ｂ光の光路には、リレーレンズ４２、４４を用いるリレー光学系が採用されている。
【００３９】
Ｂ光用フィールドレンズ３８Ｂは、反射ミラー４５からのＢ光を平行化し、Ｂ光用空間光変調装置３９Ｂへ入射させる。Ｂ光用空間光変調装置３９Ｂは、Ｂ光を画像信号に応じて変調する空間光変調装置であって、透過型液晶表示装置である。Ｂ光用空間光変調装置３９Ｂで変調されたＢ光は、クロスダイクロイックプリズム４０のうちＲ光が入射する面、Ｇ光が入射する面とは異なる面へ入射する。
【００４０】
クロスダイクロイックプリズム４０は、互いに略直交する２つのダイクロイック膜４６、４７を有する。第１ダイクロイック膜４６は、Ｒ光を反射し、Ｇ光およびＢ光を透過させる。第２ダイクロイック膜４７は、Ｂ光を反射し、Ｒ光およびＧ光を透過させる。クロスダイクロイックプリズム４０は、それぞれ異なる方向から入射したＲ光、Ｇ光およびＢ光を合成し、投写レンズ４８の方向へ射出する。投写レンズ４８は、クロスダイクロイックプリズム４０で合成された光をスクリーンの方向へ投写する。
【００４１】
プロジェクター１は、上記の光源装置２を用いることで、発光管１１の十分な冷却を可能とし、発光管１１の劣化を低減できる。これにより、高い信頼性のプロジェクター１を得られるという効果を奏する。また、プロジェクター１が倒立状態で使用されると、副反射鏡１３が発光部１５の上側を覆い、発光管１１の温度が高くなりやすい。プロジェクター１は、姿勢に応じてエアポンプ６から送り込む空気量を調整するので、プロジェクター１が倒立状態で使用される場合であっても、空気量を増やして発光管１１を十分に冷却させることができる。つまり、使用状態に応じて、発光管１１の適切な温度制御を可能とするプロジェクターを得ることができる。
【００４２】
プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクターであっても良い。プロジェクター１は、スクリーンの一方の面に光を供給し、スクリーンの他方の面から射出される光を観察することで画像を鑑賞する、いわゆるリアプロジェクターであっても良い。
【００４３】
また、エアポンプ６が空気を送り込む方向を逆方向とすることで、ノズル１４から空気を吸い込むように構成してもよい。この場合も、発光部１５近傍の空気を流動させて、発光部１５を十分に冷却させることができる。また、吸い込む空気の量を調整することで、発光管１１の冷却量を制御することができる。
【００４４】
図６は、本実施例１の変形例１に係るプロジェクターが備える光源装置の断面図である。本変形例１では、ノズル１４の接続口１４ｂ側がＺ軸方向に平行とされている。また、送風管５の先端側もＺ軸方向に平行とされている。これにより、光源装置２の着脱方向が前後方向であるプロジェクター１であっても、本変形例１の光源装置２を用いることで、光源装置２の取付時にノズル１４が邪魔になりにくく、光源装置２の取付時にノズル１４が折れてしまう等の問題を生じにくくすることができる。また、光源装置２を取り付けるだけで、ノズル１４と送風管５とが接続されるので、光源装置２の交換作業を簡単にすることができ、メンテナンス性を向上させることができる。
【実施例２】
【００４５】
図７は、本発明の実施例２に係る光源装置が備える副反射鏡の外観斜視図である。上記の実施例１と同一の部分には同一の符号を付し、重複する説明を省略する。本実施例２では、ノズル１４が予め副反射鏡１３の延伸部２３に固着される。上述した固着部２７と同様に、セメントを用いてノズル１４を延伸部２３に固着する。なお、ノズル１４の固着には、接着剤を用いてもよく、例えばセラミック系の接着剤を用いてもよい。
【００４６】
延伸部２３にノズルを固着することで、副反射鏡１３とノズル１４とを予めユニット化することができ、光源装置２の組み立てを簡単化することができる。また、副反射鏡１３とノズル１４とを予めユニット化することで、副反射鏡１３に対するノズル１４を所望の位置に配置しやすくなる。より効率的な冷却が期待できる位置、例えば、副反射鏡１３と延伸部２３との境界位置に吹出口１４ａを位置させることで、冷却効率の向上を図ることができる。
【実施例３】
【００４７】
図８は、本発明の実施例２に係る光源装置のＸ−Ｙ平面で切断した断面図である。上記の実施例１と同一の部分には同一の符号を付し、重複する説明を省略する。本実施例３では、副反射鏡１３に延伸部が形成されていない。副反射鏡１３には、発光管１１側の反対側に固定部２８が形成されている。副反射鏡１３は、図示しないハウジング等に固定部２８が固定されることで、光源装置における位置決め・固定がなされる。
【００４８】
ノズル１４は、発光管１１の第２封止部１７に沿って配置されている。また、吹出口１４ａが発光部１５の近傍に位置するように配置されている。このように、吹出口１４ａが発光部１５の近傍に位置するように配置することで、延伸部２３が形成されない副反射鏡１３を用いた場合であっても、発光部１５と副反射鏡１３との間の空気を流動させて、発光管１１を十分に冷却することができる。
【産業上の利用可能性】
【００４９】
以上のように、本発明に係る光源装置は、プロジェクターに用いる場合に適している。
【符号の説明】
【００５０】
１  プロジェクター、２  光源装置、３，４  電極、５  送風管、６  エアポンプ（送風部）、７  姿勢検出部、８  光学エンジン、９  風量調整部、１１  発光管、１２  主反射鏡、１３  副反射鏡、１４  ノズル、１４ａ  吹出口、１４ｂ  接続口、１５  発光部、２３  延伸部、２７  固着部、２８  固定部、３１  凹レンズ、３２  第１インテグレーターレンズ、３３  第２インテグレーターレンズ、３４  偏光変換素子、３５  重畳レンズ、３６  第１ダイクロイックミラー、３７  反射ミラー、３８Ｒ  Ｒ光用フィールドレンズ、３８Ｇ  Ｇ光用フィールドレンズ、３８Ｂ  Ｂ光用フィールドレンズ、３９Ｒ  Ｒ光用空間光変調装置、３９Ｇ  Ｇ光用空間光変調装置、３９Ｂ  Ｂ光用空間光変調装置、４０  クロスダイクロイックプリズム、４１  第２ダイクロイックミラー、４２，４４  リレーレンズ、４３，４５  反射ミラー、４６  第１ダイクロイック膜、４７  第２ダイクロイック膜、４８  投写レンズ
【図１】
2010251172.tif 000003
【図２】
2010251172.tif 000004
【図３】
2010251172.tif 000005
【図４】
2010251172.tif 000006
【図５】
2010251172.tif 000007
【図６】
2010251172.tif 000008
【図７】
2010251172.tif 000009
【図８】
2010251172.tif 000010